(57)【要約】【課題】  そこで本発明は、上記問題を解決すべくなされたものであり、その目的とするところは、紙製トレーを複数個積み重ねたとき、１個ずつ取り出すことが可能な紙製トレー及びその積層体を提供することにある。【解決手段】  本発明は、上記課題を達成するために、請求項１に記載の本発明は、底面部と、当該底面部の周縁から立ち上がり上方に向かって拡開する傾斜壁部と、を備えた紙製トレーであって、前記傾斜壁部には外方から内方に向かい凹んだ形状の複数の溝部を備え、前記溝部が前記傾斜壁部に対して傾斜していることを特徴とする紙製トレーである。【選択図】        図２
2020203717.tif 000002
【特許請求の範囲】
【請求項１】
底面部と、当該底面部の周縁から立ち上がり上方に向かって拡開する傾斜壁部と、を備えた紙製トレーであって、
前記傾斜壁部には外方から内方に向かい凹んだ形状の複数の溝部を備え、前記溝部が前記傾斜壁部に対して傾斜していることを特徴とする紙製トレー。
【請求項２】
前記底面部が長方形状であり、対向する長辺から立ち上がる前記傾斜壁部が第一傾斜壁板と第二傾斜壁板が対向して配置されてなり、
前記第一傾斜壁板には第一溝部が複数形成され、前記第二傾斜壁板には第二溝部が複数形成されていることを特徴とする請求項１に記載の紙製トレー。
【請求項３】
前記第一傾斜壁板に形成された前記第一溝部及び前記第二傾斜壁板に形成された前記第二溝部が外側から見たとき、同じ方向に傾斜して形成されていることを特徴とする請求項２に記載の紙製トレー。
【請求項４】
請求項１乃至請求項３のいずれか一項に記載の紙製トレーが複数積み重ねられた紙製トレーの積層体。
【発明の詳細な説明】
【技術分野】
【０００１】
本発明は、紙製トレー及びその積層体に関し、詳しくは紙製トレーを複数個積み重ねたとき、１個ずつ取り出すことが可能な紙製トレー及びその積層体に関する。
【背景技術】
【０００２】
従来、食品等の内容物を収容する紙製トレーとして、多種多様の形状の紙製トレーが用いられており、例えば、四角形の底壁部と四辺から立設された側壁を備えた紙製トレーが知られている（例えば、特許文献１参照）。また、底部にさらに吸水シートを敷き青果物を入れるのに適した紙製トレーも知られている（例えば、特許文献２参照）。
【０００３】
特許文献１、２の紙製トレーは底壁部から連接する側壁が上方に向かい拡開する形態をしており、紙製トレーを積み重ねたとき、一個ずつ取り出しやすく、食品等の内容物を収容する際に毀れにくく、便利な形態である。
【先行技術文献】
【特許文献】
【０００４】
【特許文献１】特開２００３−４０２４５号公報
【特許文献２】特開平６−１５６４６９号公報
【発明の概要】
【発明が解決しようとする課題】
【０００５】
しかしながら、特許文献１の紙製トレーは輸送効率を高めるために多数積み重ねて輸送されるために、その重さや輸送時の振動等により紙製トレー同士が密着しやすく、紙製トレーを一個ずつ取り出して使用する際、紙製トレー同士が密着した状態となり、複数個同時に取り出されてしまうという問題がある。特許文献２は、吸水シートを介して紙製トレーが積み重ねられた状態であり、吸水シートがスペーサーとなって紙製トレー間に隙間ができ、一個ずつ取り出しやすい。しかし、吸水シートを別体として準備する工程、紙製トレーに敷く工程等が増えるため、手間暇がかかるだけでなく、コスト高になるという問題がある。
【０００６】
そこで本発明は、上記問題を解決すべくなされたものであり、その目的とするところは、紙製トレーを複数個積み重ねたとき、１個ずつ取り出すことが可能な紙製トレー及びその積層体を提供することにある。
【課題を解決するための手段】
【０００７】
本発明は、上記課題を達成するために、請求項１に記載の本発明は、底面部と、当該底面部の周縁から立ち上がり上方に向かって拡開する傾斜壁部と、を備えた紙製トレーであって、前記傾斜壁部には外方から内方に向かい凹んだ形状の複数の溝部を備え、前記溝部が前記傾斜壁部に対して傾斜していることを特徴とする紙製トレーである。
【０００８】
また、請求項２に記載の本発明は、請求項１に記載の紙製トレーにおいて、前記底面部が長方形状であり、対向する長辺から立ち上がる前記傾斜壁部が第一傾斜壁板と第二傾斜壁板が対向して配置されてなり、前記第一傾斜壁板には第一溝部が複数形成され、前記第二傾斜壁板には第二溝部が複数形成されていることを特徴とするものである。
【０００９】
また、請求項３に記載の本発明は、請求項２に記載の紙製トレーにおいて、前記第一傾斜壁板に形成された前記第一溝部及び前記第二傾斜壁板に形成された前記第二溝部が外側から見たとき、同じ方向に傾斜して形成されていることを特徴とするものである。
【００１０】
また、請求項４に記載の本発明は、請求項１乃至請求項３のいずれか一項に記載の紙製トレーが複数積み重ねられた紙製トレーの積層体である。
【発明の効果】
【００１１】
本発明の紙製トレーは、紙製トレーを複数個積み重ねたとき、一個ずつ取り出すことが容易にできると共に、別体の部品も不要となる。
【図面の簡単な説明】
【００１２】
【図１】本発明の紙製トレーを形成するブランクの一例を示し、外側から見たブランクの展開図である。
【図２】本発明に係る紙製トレーの一実施形態を示す斜視図である。
【図３】本発明に係る紙製トレーの一実施形態を示す平面図である。
【図４】本発明に係る紙製トレーの一実施形態を示す底面図である。
【図５】本発明に係る紙製トレーの一実施形態を示し、（イ）が正面図、（ロ）が側面図である。
【図６】図５（イ）のＡ−Ａ線断面での切り口の状態を示す断面図でる。
【図７】本発明に係る紙製トレーを複数個積み重ねた積層体の正面図である。
【発明を実施するための形態】
【００１３】
上記の本発明について、図面等を用いて以下に詳述する。
図１は本発明の紙製トレーを形成するブランクの一例を示し、外側から見たブランクの展開図、図２は本発明に係る紙製トレーの一実施形態を示す斜視図、図３は本発明に係る紙製トレーの一実施形態を示す平面図、図４は本発明に係る紙製トレーの一実施形態を示す底面図、図５は本発明に係る紙製トレーの一実施形態を示し、（イ）が正面図、（ロ）が側面図、図６は図５（イ）のＡ−Ａ線断面での切り口の状態を示す断面図、図７は本発明に係る紙製トレーを複数個積み重ねた積層体の正面図であり、図中の１、１ａ〜１ｅは紙製トレー、２は底面部、３は傾斜壁部、４は溝部、４１は第一溝部、４２は第二溝部、１０はブランク、２０は底面板、３０は傾斜壁板、３１は第一傾斜壁板、３１ａ、３１ｂは折り込み片、３２は第二傾斜壁板、３２ａ、３２ｂは折り込み片、３３は第三傾斜壁板、３４は第四傾斜壁板、５０は摘み部、１００は紙製トレーの積層体、ｋ、ｍは折線、ｄは隙間、ｗは溝部幅、αは傾斜角をそれぞれ示す。
【００１４】
図２は本発明に係る紙製トレーの一実施形態を示す斜視図であり、この紙製トレー１は図１にその展開図を示すブランク１０を組み立てることにより形成される。
【００１５】
図１のブランク１０は、板紙等を基材とし、その基材に多面付けで必要に応じて印刷が施されたものに折線（押罫）と切線とエンボス部を備えた打ち抜き型で打抜いて作製したものである。図１に示すように、長方形の底面板２０の長辺の上下に折線ｋを介して第一傾斜壁板３１、第二傾斜壁板３２がそれぞれ連接され、底面板２０の短辺の左右に折線ｋを介して右に第三傾斜壁板３３、左に第四傾斜壁板３４がそれぞれ連接されている。第一傾斜壁板３１、第二傾斜壁板３２、第三傾斜壁板３３、第四傾斜壁板３４は、略台形状で短辺の上底が底面板２０と連接し、長辺の下底が外側となっている。
【００１６】
第一傾斜壁板３１及び第二傾斜壁板３２には複数の第一溝部４１及び第二溝部４２が形成されている。複数の第一溝部４１、第二溝部４２は外方から内方に向かい凹んだ形状であり、図１では第一溝部４１、第二溝部４２は凹部となっている。複数の第一溝部４１及び第二溝部４２は第一傾斜壁板３１及び第二傾斜壁板３２に対して底面板２０の長辺から外側に向かい右肩上がりに傾斜している。図１では第一溝部４１、第二溝部４２がそれぞれ５個設けた例を示しているが、その個数は限定されるものではなく、紙製トレー１の大きさに応じて適宜設定することができる。第一溝部４１、第二溝部４２は外郭形状が略平行四辺形であり、底面板２０と接する長さを溝部幅ｗとし、その傾斜する角度を傾斜角αとすると、溝部ｗは５〜２０ｍｍが好ましく、１２±３ｍｍがより好ましい。傾斜角αは３０〜７０°が好ましく、５０±１０°がより好ましい。傾斜角αが７０°を超えると後述するが複数の紙製トレー１をスタッキング（積み重ね）した紙製トレーの積層体１００（図７参照）から一個ずつ確実に取り出す（以下、スタッキング性という。）ことが難しく、紙製トレー１同士が密着した状態となり一個ずつ紙製トレー１を取り出し損ねることとなる。また、傾斜角αが３０°未満となると第一溝部４１、第二溝部４２の形成できる個数が少なくなる。そして、上下に配された第一傾斜壁板３１、第二傾斜壁板３２には両側の側辺に折線ｍを介して舌片状の折り込み片３１ａ、３１ｂ、折り込み片３２ａ、３２ｂがそれぞれ連接されている。
【００１７】
第三傾斜壁板３３及び第四傾斜壁板３４の底面板２０と連接する短辺と対向する側の長辺には外側に膨出した摘み部５０がそれぞれ設けられている。摘み部５０はスタッキングされた紙製トレー１を取り出しやすく、また内容物が収容された後の紙製トレー１が容易に摘まめるので設ける方が好ましい。なお、図１は外側の表面から見た状態のブランク１０を示しており、ブランク１０を組立てて紙製トレー１（図２参照）としたとき、外側面となる。
【００１８】
図１に示すブランク１０を組み立てるには、底面板２０に対して罫線ｋにて第一傾斜壁板３１、第二傾斜壁板３２、第三傾斜壁板３３、第四傾斜壁板３４を折り曲げて起立させると共に、それと同時に折り込み片３１ａ、３１ｂ、３２ａ、３２ｂを折線ｍで内側に折り曲げ、各折り込み片の外面に例えば、エマルジョン接着剤等を塗布し、その面を第三傾斜壁板３３及び第四傾斜壁板３４の内面に重合し貼着することにより図２に示す紙製トレー１が完成する。
【００１９】
なお、第一傾斜壁板３１、第二傾斜壁板３２の折り込み片３１ａ、３１ｂ、３２ａ、３２ｂを折線ｍで内側に折り曲げ、各折り込み片の内面に例えば、エマルジョン接着剤等を塗布し、その面を第三傾斜壁板３３及び第四傾斜壁板３４の外面に重合し貼着してもよい。図１において、カッコ内に示した符号は組み立てて紙製トレー１としたときに相当する部位を示すものである。また、紙製トレー１の形状は図１に限定されるものではなく、底面が多角形、円形、楕円形等であってもよい。
【００２０】
つぎに図２〜図６を参照しながら組み立てられた紙製トレー１について詳述する。
図２に示すように紙製トレー１は、底面部２と、当該底面部２の周縁から立ち上がり上方に向かって拡開する傾斜壁部３と、を備えている。傾斜壁部３には外方から内方に向かい凹んだ形状の複数の溝部４を備え、溝部４が傾斜壁部３に対して傾斜している。図１において、溝部４の網点部分は内側に凹んだ溝部の側面を示し、網点のない部分は溝部の底部を示している。図２に示す紙製トレー１は四角錐台形状の例を示しており、底面部２が長方形状であり、対向する長辺から立ち上がる傾斜壁部３が第一傾斜壁板３１と第二傾斜壁板３２が対向して配置されてなり、第一傾斜壁板３１には溝部４としての第一溝部４１が複数形成され、第二傾斜壁板３２には溝部４としての第二溝部４２が複数形成されている。
【００２１】
第一傾斜壁板３１に形成された第一溝部４１及び第二傾斜壁板３２に形成された第二溝部４２は底面部２を下にして外側から見たとき、底面部２の長辺から第一傾斜壁板３１及び第二傾斜壁板３２の外縁に至る右肩上がりに形成されており、同じ方向に傾斜して形成されている。このような構成とすることにより、紙製トレー１をスタッキングしたとき、左右の方向を逆にしてスタッキングしたとしても溝部４は同じ方向に傾斜しており、積み替える必要がないという効果がある。なお、溝部４の傾斜方向は右肩下がりに形成することもできる。溝部４が傾斜壁部３に対して傾斜していることが重要である。溝部４は打ち抜き型に備えられたエンボス部により、打ち抜きと同時にエンボスされることにより形成される。別工程でエンボスし溝部４を形成してもよいが打ち抜きと同時に形成する方が好ましい。
【００２２】
図６は図５（イ）のＡ−Ａ線での断面図であり、切り口部分のみを示し、溝部４の状態を明確にするために示したものである。溝部４（４１、４２）は第一傾斜壁板３１、第二傾斜壁板３２には外方から内方に向かい凹んだ形状であることが理解できる。なお、図２〜図６において、カッコ内に示した符号はブランク１０の対応する部分を示すものである。
【００２３】
図７は本発明に係る紙製トレー１を複数個積み重ねた紙製トレーの積層体１００の正面図である。紙製トレー１は、嵩張らないように複数個が積み重ねスタッキングされる。図７には、紙製トレー１が下から紙製トレー１ａ、１ｂ、１ｃ、１ｄ、１ｅがスタッキングされた状態を示しており、紙製トレー１をスタッキングすると、溝部４が傾斜壁部３に対して傾斜して形成される構成とすることにより積み重ねられ隣接する紙製トレー１同士間に隙間ｄが形成される。隙間ｄが形成されることによりスタッキングされた紙製トレー１同士が密着することがなく、一個ずつスムースに取り出すことができ、優れたスタッキング性が得られる。図示しないが、溝部４が傾斜壁部３に対して垂直（傾斜角αが９０°）に形成されている場合、隙間ｄが殆ど得られず、紙製トレーが密着することがあり、良好なスタッキング性が得られない。また、前述したように溝部４の傾斜角αが７０°を超える場合も隙間ｄが小さくなるのでスタッキング性も劣るものとなる。このように紙製トレー１は溝部４を備えることにより別体の部品も不要となり優れたスタッキング性が得られる。
【００２４】
以上、今まで説明してきた一実施形態は、本発明に係る紙製トレーの代表的なものを挙げたものであって、本発明に係る紙製トレーはこれに限るものではなく、本発明の趣旨を逸脱しない範疇のものは、すべて本発明に含まれるものである。
【００２５】
紙製トレー１の素材としては、カード紙、アイボリー等の板紙、または紙箱用の板紙にポリエチレン、ポリプロピレン、ポリエチレンテレフタレート、ポリブチレンテレフタレート等の樹脂を積層した板紙を使用することができる。積層方法としては板紙に樹脂を溶融押出してラミネートする押出ラミネート法あるいは前記樹脂等の樹脂フィルムを接着剤を介して板紙にラミネートするウェットラミネート法もしくはドライラミネート法を用いる。
【符号の説明】
【００２６】
１、１ａ〜１ｅ        紙製トレー
２                    底面部
３                    傾斜壁部
４                    溝部
４１                  第一溝部
４２                  第二溝部
１０                  ブランク
２０                  底面板
３０                  傾斜壁板
３１                  第一傾斜壁板
３１ａ、３１ｂ        折り込み片
３２                  第二傾斜壁板
３２ａ、３２ｂ        折り込み片
３３                  第三傾斜壁板
３４                  第四傾斜壁板
５０                  摘み部
１００                紙製トレーの積層体
ｋ、ｍ                折線
ｄ                    隙間
ｗ                    溝部幅
α                    傾斜角
【図１】
2020203717.tif 000003
【図２】
2020203717.tif 000004
【図３】
2020203717.tif 000005
【図４】
2020203717.tif 000006
【図５】
2020203717.tif 000007
【図６】
2020203717.tif 000008
【図７】
2020203717.tif 000009